(57)【要約】【課題】複数のトナー画像を中間転写媒体上へ順次に１次転写する際のトナー散りの問題と逆転写の問題を有効に解消もしくは軽減する。【解決手段】１以上の静電潜像担持体にＮ（≧２）個のネガ潜像を形成し、これらネガ潜像をそれぞれ反転現像してＮ個のポジのトナー画像を得、これらトナー画像を中間転写媒体上に逐次に１次転写して互いに重ね合せ、次いで中間転写媒体上からシート状記録媒体上に２次転写する画像形成方法において、１次転写の際、転写部の上流側近傍において、中間転写媒体ＢＬにカウンタバイアス：Ｖｔを印加し、Ｍ（＝２〜Ｎ）番目の１次転写の際のカウンタバイアス：Ｖｔを、Ｍ−１回の１次転写により先に中間転写媒体に形成されている画像部の基準電位と略同電位に設定する。【選択図】    図１
2004286851.tif 000002
【特許請求の範囲】
【請求項１】
１以上の静電潜像担持体にＮ（≧２）個のネガ潜像を形成し、これらネガ潜像をそれぞれ反転現像して、Ｎ個のポジのトナー画像を得、これらトナー画像を中間転写媒体上に逐次に１次転写して互いに重ね合せ、次いで、上記中間転写媒体上からシート状記録媒体上に２次転写する画像形成方法において、
１次転写の際、転写部の上流側近傍において、中間転写媒体にカウンタバイアス：Ｖｔを印加し、
Ｍ（＝２〜Ｎ）番目の１次転写の際のカウンタバイアス：Ｖｔを、Ｍ−１回の１次転写により先に中間転写媒体に形成されている画像部の電位が、Ｍ番目のトナー画像を有する静電潜像担持体上の画像部の電位と略同電位となるように設定することを特徴とする画像形成方法。
【請求項２】
請求項１記載の画像形成方法において、
Ｍ（＝２〜Ｎ）番目の１次転写の際のカウンタバイアス：Ｖｔを、最初の１次転写により中間転写媒体に形成された画像部の電位に基づき推定して設定することを特徴とする画像形成方法。
【請求項３】
請求項１または２記載の画像形成方法において、
Ｍ（＝２〜Ｎ）番目の１次転写の際のカウンタバイアス：Ｖｔを、Ｎ番目の１次転写により中間転写媒体に形成された画像部の電位に基づき推定して設定することを特徴とする画像形成方法。
【請求項４】
請求項１〜３の任意の１に記載の画像形成方法において、
中間転写媒体に形成された画像部の電位として、電位最大値を用いることを特徴とする画像形成方法。
【請求項５】
請求項１〜４の任意の１に記載の画像形成方法において、
中間転写媒体表面の電位を検出する表面電位検出手段により検出される出力電圧に基づき、中間転写媒体に形成された画像部の電位を決定することを特徴とする画像形成方法。
【請求項６】
請求項１〜５の任意の１に記載の画像形成方法において、
Ｎ＝３または４であり、異なる静電潜像が、イエロー、マゼンタ、シアンもしくは赤、緑、青の３色もしくは、これらに黒を加えた４色のトナーで現像されることを特徴とする画像形成方法。
【請求項７】
請求項６記載の画像形成方法において、
異なる静電潜像が、２以上の静電潜像担持体に分けて形成されることを特徴とする画像形成方法。
【請求項８】
１以上の静電潜像担持体にＮ（≧２）個のネガ潜像を形成し、これらネガ潜像をそれぞれ反転現像して、Ｎ個のポジのトナー画像を得、これらトナー画像を中間転写媒体上に逐次に１次転写して互いに重ね合せ、次いで、上記中間転写媒体上からシート状記録媒体上に２次転写する画像形成装置において、
１次転写を行う１次転写手段が、１次転写部に転写バイアスを印加する転写バイアス印加手段と、上記１次転写部の上流側近傍において、カウンタバイアス：Ｖｔを上記中間転写媒体に印加するカウンタバイアス手段を有し、
Ｍ（＝２〜Ｎ）番目の１次転写の際のカウンタバイアス：Ｖｔを、Ｍ−１回の１次転写により先に中間転写媒体に形成されている画像部の電位が、Ｍ番目のトナー画像を有する静電潜像担持体上の画像部の電位と略同電位となるように設定するカウンタバイアス設定部を有することを特徴とする画像形成装置。
【請求項９】
請求項８記載の画像形成装置において、
カウンタバイアス設定部が、Ｍ（＝２〜Ｎ）番目の１次転写の際のカウンタバイアス：Ｖｔを、最初の１次転写により中間転写媒体に形成された画像部の電位に基づき推定して設定することを特徴とする画像形成装置。
【請求項１０】
請求項８または９記載の画像形成装置において、
カウンタバイアス設定部が、Ｍ（＝２〜Ｎ）番目の１次転写の際のカウンタバイアス：Ｖｔを、Ｎ番目の１次転写により中間転写媒体に形成された画像部の電位に基づき推定して設定することを特徴とする画像形成装置。
【請求項１１】
請求項８〜１０の任意の１に記載の画像形成装置において、
カウンタバイアス設定部がカウンタバイアスの設定に用いる画像部の電位として、中間転写媒体に形成された画像部の電位最大値を用いることを特徴とする画像形成装置。
【請求項１２】
請求項８〜１１の任意の１に記載の画像形成装置において、
１次転写後の中間転写媒体上の画像部の電位を検出する表面電位検出手段を有し、カウンタバイアス設定部が、上記表面電位検出手段による検出電位に基づき画像部の電位を決定し、この電位に基づいて、１次転写における２番目以降の転写におけるカウンタバイアスの設定を行うことを特徴とする画像形成装置。
【請求項１３】
請求項８〜１２の任意の１に記載の画像形成装置において、
Ｎ＝３または４であり、異なる静電潜像が、イエロー、マゼンタ、シアンもしくは赤、緑、青の３色もしくは、これらに黒を加えた４色のトナーで現像されることを特徴とする画像形成方法。
【請求項１４】
請求項１３記載の画像形成装置において、
異なる静電潜像が、２以上の静電潜像担持体に分けて形成され、各静電潜像担持体から中間転写媒体へ１次転写されることを特徴とするることを特徴とする画像形成装置。
【請求項１５】
請求項１４記載の画像形成装置において、
３もしくは４個の静電潜像担持体が、中間転写媒体の表面の走行方向に配列されたタンデム式の画像形成装置であることを特徴とする画像形成装置。
【発明の詳細な説明】
【０００１】
【発明の属する技術分野】
この発明は画像形成方法および装置に関する。
【０００２】
【従来の技術】
静電潜像担持体に形成されたネガ潜像を反転現像してポジのトナー画像を得、このトナー画像を転写紙等のシート状記録媒体上に転写・定着する画像形成方式は、電子複写装置や光プリンタ等の各種画像形成装置に広く実施されている。
【０００３】
近来、カラー画像形成等が広く実用化され、１以上の静電潜像担持体に形成される複数のネガ潜像を別個に反転現像し、各トナー画像を中間転写ベルト等の中間転写媒体上に１次転写して互いに重ね合せてトナー画像の合成を行い、合成されたトナー画像をシート状記録媒体上に２次転写して定着する画像形成方法が行われている。
【０００４】
トナー画像の転写に関連して従来から「トナー散り」の問題が知られている。トナー散りは、シート状記録媒体に最終的に担持された画像における「本来画像で無い部分」にトナーが「散らされた」ように付着する現象であり、形成された画像の画質を損う。この現象は、トナー画像が転写領域に進入する際に、トナー画像と転写材（中間転写方式では中間転写媒体）との間隔が狭まった状態において、トナー画像を構成するトナー粒子の一部が、転写材表面に向って飛翔して付着する所謂「プレ転写」によるものと考えられている。
【０００５】
また、上記の如く、複数のトナー画像を中間転写媒体上で合成する場合、中間転写媒体に対しトナー画像の転写（１次転写）が繰り返されることになるが、１次転写における２回目以降の転写が行われる際に、それ以前に中間転写媒体上に転写されたトナー画像のトナー粒子が、潜像担持体に飛翔転移し、さらに中間転写媒体に転写される現象（「逆転写」と呼ばれる）が生じる。逆転写がおきた場合にも、形成される画像には前述の「トナー散り」と同様の画像劣化が生じる。
【０００６】
前記トナー散りに関しては、これを防止もしくは軽減する方法が種々提案されている（例えば、特許文献１、２）が、上記「逆転写」に対しては、現在、その対策が模索されている状態である。
【０００７】
【特許文献１】
特開平８−１６６７２８号公報
【特許文献２】
特開平１０−１８６８７８号公報
【０００８】
【発明が解決しようとする課題】
この発明は、上記トナー散りの問題とともに逆転写の問題を有効に解消もしくは軽減できる画像形成方法および装置の実現を課題とする。
【０００９】
【課題を解決するための手段】
この発明の画像形成方法は「１以上の静電潜像担持体にＮ（≧２）個のネガ潜像を形成し、これらネガ潜像をそれぞれ反転現像してＮ個のポジのトナー画像を得、これらトナー画像を中間転写媒体上に逐次に１次転写して互いに重ね合せ、次いで、中間転写媒体上からシート状記録媒体上に２次転写する画像形成方法」である。
【００１０】
「静電潜像担持体」は、所望の静電潜像を形成される媒体である。静電潜像担持体として最も一般的なものは「光導電性の感光体」であり、この場合、静電潜像は感光体の均一帯電と露光により行われる。
【００１１】
静電潜像担持体はまた、誘電性の表面を持ち、その表面に電荷の分布として静電潜像を保持できるものであることもできる。この場合、静電潜像は他の静電潜像担持体に形成された静電潜像を転写することにより、あるいは当該静電潜像担持体を均一に帯電した後に、針電極等により位置選択的に除電するなどして形成することができる。
【００１２】
「ネガ潜像」は、画像となるべき部分（トナーが付着する部分）の電位を減衰させた静電潜像であり、静電潜像電荷と同極性のトナーを用いる反転現像によりポジのトナー画像として可視化される。静電潜像担持体が、例えば、光導電性の感光体である場合であれば、感光体を均一帯電させた後、光走査等の光書き込みで画像部の電位を光減衰させたり、あるいは原稿のネガ画像を光像として照射することにより形成することができる。
【００１３】
Ｎ個の静電潜像は、互いに形成方法が異なっていても良い。例えば、２つのネガ潜像を形成する場合、一方を光走査により形成し、他方を原稿のネガ画像を光像として照射して形成しても良い。
【００１４】
２以上のネガ潜像は「同一色のトナー」で可視化しても良いし、異色のトナーで可視化しても良い。異色のトナーでの可視化を行う場合には、各トナー画像の合成により２色画像や多色画像、あるいはカラー画像を形成することができる。
【００１５】
静電潜像担持体は、形態としてはドラム状もしくはベルト状である。
中間転写媒体も、形態としてはドラム状もしくはベルト状である。中間転写媒体と静電潜像担持体の形態上の組合せとしては、ドラム状とベルト状、ベルト状とベルト状の組合せが可能である。
【００１６】
このような形態上の組合せでは、１次転写部においてドラム状もしくはベルト状の静電潜像担持体とベルト状もしくはドラム状の中間転写媒体が接触して「ニップ部」を形成する。
【００１７】
請求項１記載の画像形成装置は以下のごとき特徴を有する。
即ち、１次転写の際、転写部の上流側近傍において、中間転写媒体にカウンタバイアス：Ｖｔを印加し、Ｍ（＝２〜Ｎ）番目の１次転写の際のカウンタバイアス：Ｖｔを、Ｍ−１回の１次転写により「中間転写媒体に先に形成されている画像部の電位」が、Ｍ番目のトナー画像を有する静電潜像担持体状の画像部の電位と略同電位となるように設定する。
【００１８】
上記「Ｍ−１回の１次転写により先に中間転写媒体に形成されている画像部の電位」は、基準パターンの露光・現像により形成されるトナー画像を中間転写媒体へ１次転写し、転写後の画像部の電位を表面電位計で測定することにより、予め知ることができる。この画像部電位を「カウンタバイアス：Ｖｔでシフトさせて、静電潜像担持体上のトナー画像部の電位と略同電位となるように、カウンタバイアスによるシフト量を設定する」のである。
【００１９】
「Ｍ番目のトナー画像の画像部」の電位は、静電潜像の形成条件と現像条件とにより予め知ることができる。
「転写部の上流側」は、中間転写媒体に１次転写されるトナー画像が転写部に進入する側である。
【００２０】
上記のようにカウンタバイアス：Ｖｔが印加されると、中間転写媒体に１次転写されるＭ番目のトナー画像が転写部へ進入する際に、静電潜像担持体表面と中間転写媒体表面とが近接しても、静電潜像担持体上のトナー画像（Ｍ番目に１次転写されるトナー画像）を構成するトナーには、これを中間転写媒体側へ飛翔させる大きな電気力は作用せず、中間転写媒体上に形成されている画像（１〜Ｍ−１番目に１次転写されたトナー画像により形成されている）を構成するトナーにも、これを静電潜像担持体側へ逆転写させる大きな電気力は作用しない。
従って、プレ転写と逆転写とを良好に防止もしくは軽減させることができる。
【００２１】
上記請求項１記載の画像形成方法において、Ｍ（＝２〜Ｎ）番目の１次転写の際のカウンタバイアス：Ｖｔは「最初の１次転写により中間転写媒体に形成された画像部の基準に基づき推定して設定」することもできるし（請求項２）、Ｎ番目の１次転写により中間転写媒体に形成された画像部の電位に基づき推定して設定することもできる（請求項３）。
【００２２】
例えば、Ｎ＝４の場合、４個の静電潜像がイエロー・マゼンタ・シアン・黒の４色のトナーで可視化され、上記順序で中間転写ベルト上に１次転写される場合であると、基準パターンに応じて得られたイエロートナー画像を中間転写媒体上に１次転写したのち、その画像部の表面電位を計測して得られる電位に対してカウンタバイアスをかけて上記電位をシフトさせ、転写部の上流側近傍において、上記画像部の電位が「マゼンタトナー画像を有する潜像担持体のマゼンタトナー画像部の電位」と略等しくなるようにする。
【００２３】
中間転写媒体への各色トナー画像の転写の条件は予め知られているので、上記の如くして中間転写媒体上のイエロートナー画像（最初に１次転写された画像）の電位が分かれば、以後の各色トナー画像の１次転写による中間転写媒体上の画像部電位は（予備的な実験により）経験的に推定できるので、このような推定値に基づきカウンタバイアス：Ｖｔを設定することができる。
【００２４】
請求項３の場合のように、イエロートナー画像から黒トナー画像まで、４色のトナー画像（何れも基準パターンにより形成される）を１次転写した状態における中間転写媒体上の画像部電位を計測し、この値から逆に各トナー画像の１次転写の際のカウンタバイアス：Ｖｔを推定して決定しても良い。請求項３の場合は、４色のトナー画像全ての１次転写後における画像部の電位と、イエロートナー画像転写後の画像部の電位とをもとに、マゼンタ、シアン、黒の各色トナー画像を１次転写する際のカウンタバイアスの推定を行ってもよい。
【００２５】
請求項１〜３の任意の１に記載の画像形成方法において、中間転写媒体に形成された画像部の電位として、電位最大値を用いることができる（請求項４）。即ち、この場合には、中間転写媒体に形成されているトナー画像の電位の最大値をシフトさせて、静電潜像担持体上のトナー画像部の電位と略等しくする。
【００２６】
請求項１〜４の任意の１に記載の画像形成方法において、中間転写媒体表面の電位を検出する表面電位検出手段により検出される出力電圧に基づき画像部の電位を決定することができる。このように画像部の電位を決定すると同時にカウンタバイアス：Ｖｔが決定されることになる。
【００２７】
請求項１〜５の任意の１に記載の画像形成方法は、Ｎ＝３または４とし、異なる静電潜像をイエロー、マゼンタ、シアンもしくは赤、緑、青の３色もしくは、これらに黒を加えた４色のトナーで現像することができる（請求項６）。この場合、異なる静電潜像を「同一の静電潜像担持体に順次に形成」することもできるが、「２以上の静電潜像担持体に分けて形成」することができる（請求項７）。
【００２８】
この発明の画像形成装置は「１以上の静電潜像担持体にＮ（≧２）個のネガ潜像を形成し、これらネガ潜像をそれぞれ反転現像してＮ個のポジのトナー画像を得、これらトナー画像を中間転写媒体上に逐次に１次転写して互いに重ね合せ、次いで中間転写媒体上からシート状記録媒体上に２次転写する画像形成装置」である。
【００２９】
請求項８記載の画像形成装置は以下のごとき特徴を有する。
【００３０】
即ち、１次転写を行う１次転写手段が、１次転写部に転写バイアスを印加する転写バイアス印加手段と、１次転写部の上流側近傍において、カウンタバイアス：Ｖｔを中間転写媒体に印加する「カウンタバイアス手段」を有する。
【００３１】
そして、Ｍ（＝２〜Ｎ）番目の１次転写の際のカウンタバイアス：Ｖｔを、Ｍ−１回の１次転写により先に中間転写媒体に形成されている画像部の電位と略同電位に設定する「カウンタバイアス設定部」を有する。
【００３２】
上記カウンタバイアス設定部は「Ｍ（＝２〜Ｎ）番目の１次転写の際のカウンタバイアス：Ｖｔを、最初の１次転写により中間転写媒体に形成された画像部の電位に基づき推定して設定する」こともできるし（請求項９）、「Ｍ（＝２〜Ｎ）番目の１次転写の際のカウンタバイアス：Ｖｔを、Ｎ番目の１次転写により中間転写媒体に形成された画像部の電位に基づき推定して設定する」こともできる（請求項１０）。
【００３３】
上記請求項８〜１０の任意の１に記載の画像形成装置において、カウンタバイアス設定部がカウンタバイアスの設定に用いる画像部の電位として、中間転写媒体に形成された画像部の電位最大値を用いることができる（請求項１１）。
【００３４】
上記請求項８〜１１の任意の１に記載の画像形成装置は「１次転写後の中間転写媒体上の画像部の電位を検出する表面電位検出手段を有し、カウンタバイアス設定部が、上記表面電位検出手段による検出電位に基づき画像部の電位を決定し、この電位に基づいて１次転写における２番目以降の転写におけるカウンタバイアスの設定を行う」ことができる。
【００３５】
請求項８〜１２の任意の１に記載の画像形成装置は、Ｎ＝３または４とし、異なる静電潜像をイエロー、マゼンタ、シアンもしくは赤、緑、青の３色もしくはこれらに黒を加えた４色のトナーで現像するように構成できる（請求項１３）。
この場合、異なる静電潜像が同一の静電潜像担持体に順次に形成されるようにしてもよいが、異なる静電潜像が、２以上の静電潜像担持体に分けて形成され、各静電潜像担持体から中間転写媒体へ１次転写されるように構成することもできる（請求項１４）。
【００３６】
請求項１４記載の画像形成装置においては「３もしくは４個の静電潜像担持体を中間転写媒体の表面の走行方向に配列したタンデム式の画像形成装置」として構成することができる（請求項１５）。
【００３７】
若干付言すると、この発明において、１画像の画像形成に供せられるトナー画像の数：Ｎは、上の説明のようにＮ＝２あるいは３もしくは４であることができるが、これに限らず、５以上のＮの場合にもこの発明の実施が可能である。例えば、カラー画像を形成する場合、通常はＮ＝４で、４個の静電潜像をイエロー・マゼンタ・シアン・黒の４色のトナーで可視化するが、さらに合成する色を増やすことにより、形成された画像においてより精緻なカラー表現が可能となる。
【００３８】
ここで、発明の作用を説明する。
図１は、静電潜像担持体から中間転写媒体へのトナー画像の１次転写の様子を模式的に示している。静電潜像担持体はドラム状に形成された光導電性の感光体ＰＣで矢印方向へ回転する。中間転写媒体は無端ベルト状に形成された中間転写ベルトＢＬで図の右方へ走行する。
【００３９】
符号Ｒ１で示す「転写ローラ」は、電源Ｄ１から転写電圧を印加される。符号Ｒ２はカウンタバイアスローラを示す。カウンタバイアスローラＲ２には電源Ｄ２からカウンタバイアス：Ｖｔが印加される。カウンタバイアスローラＲ２と電源Ｄ２とは「カウンタバイアス手段」を構成する。
【００４０】
感光体ＰＣの回転方向、中間転写ベルトＢＬの走行方向が上記の如くであるので、カウンタバイアスローラＲ２によるカウンタバイアス：Ｖｔは、「転写部」である転写ローラＲ１の位置よりも上流側で中間転写ベルトＢＬの裏面側から印加される。
【００４１】
図１に示すのは、イエロートナーＴＹにより形成されたイエロートナー画像が転写される状態であり、ここでは、イエロートナー画像が最初に１次転写されるものとする。
【００４２】
イエロートナー画像は感光体ＰＣの矢印方向の回転に伴ない、図の左方から転写部へ進入し、転写ローラＲ１により印加される転写電圧により中間転写ベルトＢＬ上に転写される。
【００４３】
説明の具体性のため、以下の説明において、静電潜像は負極性の電位分布により形成されたネガ潜像（非画像部が一様に負極性の電位を有し、画像部では、露光により表面電位が光減衰している）であるとする。イエロートナーＴＹは静電潜像と同極性の負極正に帯電し、反転現像によりネガ潜像の電位減衰した画像部に捕獲されてイエロートナー画像を構成する。従って、このイエロートナー画像を中間転写ベルトＢＬに転写するために、転写ローラＲ１は正極性の電位を転写部に印加する。
【００４４】
図２（ａ）は、感光体ＰＣ上におけるイエロートナー画像部と非画像部の電位関係を模式的に示している。電位は縦方向に変化し、図の上方が正電位の増加する向きであり、ＧＮＤは接地レベルを示している。感光体ＰＣの表面は、均一な負電位：Ｖ０に帯電され、ネガ潜像の部分では、光減衰により潜像電位：ＶＬとなっており、この部分に負極性のイエロートナーＴＹが捕らえられている。
【００４５】
潜像電位：ＶＬは、光減衰が理想的に行われれば０Ｖとなるが、現実には、−１００〜―１５０Ｖ程度の電位が残留している。転写ローラＲ１による転写電圧は、転写部に「中間転写ベルトＢＬから感光体ＰＣへ向う電界」を形成し、イエロートナーＴＹは上記電界の作用により中間転写ベルトＢＬ上へ転写される。
即ち、イエロートナーＴＹは負極性であるので、電位の高い側（電位が正の向きに増大する側、即ち、図２（ａ）で上方）へ移動する。
【００４６】
ここで前述の「プレ転写」を考えて見ると、仮にカウンタバイアスローラＲ２によるカウンタバイアス：Ｖｔを０とした場合、図２（ａ）に示す静電潜像の画像部電位：ＶＬが理想値：０Ｖであれば、転写部の上流側近傍で、感光体ＰＣの表面と中間転写ベルトＢＬの表面が近接した場合でも、両者の間隙部においては「イエロートナーＴＹを中間転写ベルトＢＬ側へ飛翔させる電界」は実質的に発生せず、プレ転写は生じない。
【００４７】
しかしながら、前述したように現実には画像部電位：ＶＬは０ではなく有限の負電位であるため、上記カウンタバイアス：Ｖｔを０とすると、上記間隙部に感光体ＰＣから中間転写ベルトＢＬへ向う電界が発生し、この電界の作用によりイエロートナーＴＹが中間転写ベルトＢＬへ向って飛翔しプレ転写による「トナー散り」を発生させる。
【００４８】
このようなプレ転写を防止するには、カウンタバイアス：Ｖｔとして「絶対値が少なくとも潜像電位：ＶＬよりも大きい負の電位」を印加すれば良く、このようにすれば、転写部上流側近傍における感光体ＰＣと中間転写ベルトＢＬの間隙部には、イエロートナーＴＹを中間転写ベルトＢＬから反発させる電界が発生し、プレ転写は有効に防止される。
【００４９】
図２（ｂ）は、イエロートナーＴＹによるイエロートナー画像を転写された中間転写ベルトＢＬ上における電位の状態を模式的に示している。中間転写ベルト上にイエロートナー画像が転写された状態において中間転写ベルトＢＬの表面電位は、図のように接地レベルＧＮＤよりも正極性になる。これは、転写の際に転写ローラＲ１から正電荷が中間転写ベルトに与えられることによる。
【００５０】
中間転写ベルト表面の電位は一様でなく、イエロートナーＴＹが付着した「画像部」での電位は非画像部の表面電位よりも高い。これは、転写が行われる際、非画像部に「感光体ＰＣ上の非画像部を構成していた負電荷が剥離放電により転写」され、画像部よりも電位をマイナス側に偏倚させるためである。
【００５１】
図２（ｃ）〜（ｅ）は、イエロートナーＴＹによるイエロートナー画像が転写されている中間転写ベルト上に、マゼンタトナーＴＭによるマゼンタトナー画像を転写するときの電位関係を説明図として示している。
【００５２】
図２（ｃ）の状態は、マゼンタトナー画像の転写部の上流側近傍において「カウンタバイアス：Ｖｔの負極正が不充分」で、中間転写ベルトＢＬ上の表面電位が静電潜像の画像部電位：ＶＬよりも高い場合である。この場合には、感光体上にあるマゼンタトナー画像を構成する負極性のマゼンタトナーＴＭに、感光体ＰＣの側へ向う電気力：Ｆ１が作用するので、マゼンタトナーＹＭのプレ転写によるトナー散りが発生する。
【００５３】
図２（ｃ）の状態は逆に、カウンタバイアス：Ｖｔの負極性が大きすぎて、転写部上流側近傍において、中間転写ベルトの表面電位が感光体表面電位より低い状態を示している。この場合には、近接した感光体表面と中間転写ベルト表面との間に、感光体から中間転写ベルトへ向う電界が生じ、中間転写ベルト上に転写されているイエロートナーＴＹを感光体側へ向わせる電気力：Ｆ２が生じ、この電気力：Ｆ２の作用により、イエロートナーＴＹの「逆転写」が発生する。
【００５４】
図２（ｅ）は、適正なカウンタバランス：Ｖｔにより、中間転写ベルトに形成されているイエロートナー画像の「画像部の電位」が、感光体上のマゼンタトナー画像の画像部電位と等しくなっている場合である。この場合には、中間転写ベルト上のイエロートナーを逆転写させる力も、感光体上のマゼンタトナーをプレ転写させる力も作用せず、プレ転写・逆転写の無い状態で、マゼンタトナー画像を中間転写媒体上に転写することができる。
【００５５】
以下、シアントナー画像、黒トナー画像を中間転写ベルト上に１次転写する場合にも、カウンタバイアス：Ｖｔを適正に設定して、中間転写ベルト上のトナー画像の画像部電位が感光体上のトナー画像の画像部電位と略等しくなるようにすることにより、各トナー画像を適正に１次転写することができる。
【００５６】
即ち、一般に、１次転写を行うトナー画像がＮ個ある場合に、Ｍ（＝２〜Ｎ）番目の１次転写の際のカウンタバイアス：Ｖｔを、Ｍ−１回の１次転写により先に中間転写媒体に形成されている画像部の電位が、Ｍ番目のトナー画像を有する静電潜像担持体上の画像部の電位と略同電位となるように設定する（請求項１）ことにより適正な１次転写を行うことができる。
【００５７】
図２（ｅ）に即して説明したのは、マゼンタトナー画像の１次転写の際にその画像部の電位が「中間転写ベルト上のイエロートナー画像の画像部の基準電位と等しくなる」ようにカウンタバイアス：Ｖｔの設定を行った場合であるが、現実には、上記両電位を「等しく」することは難しい。
【００５８】
しかし、これら電位が完全に一致しなくても「両電位の差がある程度小さ」ければ、トナー飛翔によるプレ転写・逆転写は生じない。即ち、中間転写ベルト上の画像部の電位と感光体上のトナー画像の画像部電位との電位差が「２００Ｖ程度」であれば「プレ転写・逆転写」の問題は発生しないという結果が実験的に得られた。
【００５９】
従って、「中間転写媒体に形成されている画像部の電位が、新たに１次転写されるトナー画像を有する静電潜像担持体上の画像部の電位と略同電位」であるとは、これらの電位の差が２００Ｖ程度より小さいことを意味する。
【００６０】
また、中間転写媒体上の「トナー画像の画像部の電位」と、感光体上のトナー画像の画像部電位との電位差を「同一電位差」として比較した場合、中間転写媒体から感光体への飛翔（逆転写）の方が、感光体から中間転写媒体への飛翔（プレ転写）よりも起こり難いことが確認された。
【００６１】
これは、感光体上の画像がネガ・ポジ像であるのに対し、中間転写媒体上の画像はポジ・ポジ像であり、中間転写媒体には「トナーを静電的に引きつける電荷が存在する」ためと考えられる。
【００６２】
転写部の上流部近傍での静電潜像担持体上の画像部の表面電位：ＶＬと中間転写媒体上の画像部の表面電位：ＶｔＬとから、カウンタバイアス：Ｖｔを求めるには、関係：ＶＬ＝ＶｔＬ＋Ｖｔを利用すれば良く、中間転写媒体上の表面電位：ＶｔＬが既知の場合、即ち、予め実験によりデータとして求められている場合であれば、演算：Ｖｔ＝ＶＬ−ＶｔＬにより求めることができる。
【００６３】
実際には、あらかじめ実験的に得られたデータに基づきテーブルを構成し、参照することでカウンタバイアス：Ｖｔを設定するのが好ましい。
【００６４】
このように、ＶＬ値を「予めテーブルに記憶させた値」として設定するようにできるが、画像形成枚数から予測される「経時劣化変化分」を加えるか、あるいは静電潜像の画像部における残留電位を測定可能な手段を設け、その出力により値を決定することは好ましい。
【００６５】
図２には、イエロートナー画像が１次転写されている中間転写媒体上にマゼンタトナー画像を転写する場合を説明した。上に説明したように、イエロートナー画像を転写された後の中間転写媒体の表面電位は、全体として正極性であり、画像部の電位が非画像部の電位よりも高い。
【００６６】
図３において、縦軸は中間転写媒体表面の電位を表す。符号３−１で示すのは、前述の如くして最初にイエロートナーＴＹによるイエロートナー画像を１次転写したときの中間転写媒体上の表面電位を示す。符号３−２で示すのは、イエロートナー画像が１次転写されている中間転写媒体上に、マゼンタトナーＴＭによるマゼンタトナー画像を１次転写した後の中間転写媒体上の表面電位を示す。
【００６７】
表面電位部：Ａは、イエロートナー画像・マゼンタトナー画像ともに非画像部である部分、表面電位部：Ｂは、イエロートナー画像が画像部でマゼンタトナー画像が非画像部である部分、表面電位部：Ｃはイエロートナー画像・マゼンタトナー画像ともに画像部である部分、表面電位部：Ｄは、イエロートナー画像が非画像部でマゼンタトナー画像が画像部である部分をそれぞれ示している。
【００６８】
各表面電位部とも、イエロートナー画像の１次転写後よりも電位が負の側（図の下方）へシフトしている。マゼンタトナー画像の転写によるマゼンタトナーＴＭの負電荷分の増加および「転写の際の剥離放電」の影響である。
【００６９】
以下、シアントナー画像、黒トナー画像を１次転写した場合の中間転写媒体上の電位分布は、図３の場合と同様に変化し、一般に、１次転写の回数の増加と伴に、負の側ヘシフトする。
【００７０】
各色トナーの帯電量、適正付着量等の条件を略同じにする場合「１色転写することによる中間転写媒体上の画像部の電位変化」は推定が可能である。
【００７１】
１次転写開始以前の中間転写媒体の表面電位と１色目（上記説明例ではイエロートナー画像）の転写後の表面電位との差をΔＶ（この値は、予め実験的に求める）とすると、このΔＶをもって「１色転写することによる画像部の電位変化」として推定でき、このΔＶに基づいてカウンタバイアス：Ｖｔを設定することができる（請求項２）。
【００７２】
上記の如く、各色トナーの帯電量・適正付着量等の条件を略同じに設定すれば、１色転写（１つの色のトナー画像の１次転写）することによる画像部の電位変化は推定が可能であるが、これとは別の方法として、中間転写媒体上にイエロートナー画像〜黒トナー画像を「全て１次転写した後」の中間転写媒体の画像部の電位を考え、１次転写開始前と４色転写後との表面電位の差：Ｖを実験的に決定すると、１色転写する毎の電位変化：ΔＶはＶ／４として推定でき、このＶ／４に基づいてカウンタバイアス：Ｖｔを設定することができる（請求項３）
再び図３を参照すると、マゼンタトナー画像の１次転写後における中間転写媒体上の表面電位分布３−２は、イエロートナー画像とマゼンタトナー画像の画像部の重なり具合により段階的に変化する。このような場合、次ぎのシアントナー画像の１次転写の際に、カウンタバイアス：Ｖｔによる表面電位のシフト量をどのように定めるかが問題となる。
【００７３】
請求項４記載の方法ではこの場合、マゼンタトナー画像の１次転写後の電位３−２における電位最大値：Ｖ１を用い、これをカウンタバイアス：Ｖｔによりシフトさせて感光体上におけるシアントナー画像の画像部電位と略等しくする。即ち、図３における表面電位部：Ｃの電位がカウンタバイアスにより負極性側にシフトされて「静電潜像担持体上のシアントナー画像部の電位」と等しくされる。
【００７４】
この場合、図３の表面電位部：Ａ、Ｂ、Ｃ、Ｄとも、シアントナーは静電潜像担持体から中間転写媒体上へは移動（プレ転写）しない電位状態（転写部上流側近傍で静電潜像担持体と中間転写媒体との近接部における電界が、静電潜像担持体から中間転写媒体ヘ向う）となる。
【００７５】
この電位状態では、イエロートナーやマゼンタトナーが中間転写媒体から静電潜像担持体上への移動が電位的には可能であるが、前述したように、中間転写媒体から静電潜像担持体へはトナーの飛翔が生じ難いので、上記の如くすることにより、プレ転写を防止しつつ、逆転写を有効に防止もしくは低減させてシアントナー画像の１次転写を実行できる。
【００７６】
同様に、最後の黒トナー画像を１次転写する際には、中間転写媒体上におけるイエロー・マゼンタ・シアントナー画像による画像部電位の最大電位値をカウンタバイアス：Ｖｔによりシフトさせた基準電位が、静電潜像担持体上における黒トナー画像の画像部電位と略等しくなるようにすれば良い。
【００７７】
なお、静電潜像担持体上に形成される静電潜像の極性が正極性で、正帯電したトナーを用いて反転現像を行う場合には、上記の「最大電位値」は「負極性の電位の絶対値の最大値」を意味する。
【００７８】
上に説明した、カウンタバイアス：Ｖｔの設定方法は「各色トナー画像の１次転写後の中間転写媒体の画像部の電位」を個別的に検出する必要が無く、個別的な表面電位計測手段が不要となるので省スペース化・低コスト化を実現できる。
【００７９】
実際の画像形成装置の運転状況においては、カウンターバイアス：Ｖｔの印加部を中間転写媒体が通過するとき、中間転写媒体表面の電位状態は、２次転写の影響、中間転写媒体除電の程度、中間転写媒体上のトナーの有無等で変化する可能性があり、カウンタバイアス印加部を通過するときの電位状態によりカウンタバイアスの効果は異なる。
【００８０】
このような観点からすると、各転写部の上流側に、中間転写媒体表面の電位を検知する表面電位検出手段を設け、この表面電位検出手段が検出する「中間転写媒体の画像部の電位」を基にしてカウンタバイアス：Ｖｔの設定を行うことが好ましいと言える（請求項５）。
【００８１】
なお、プレ転写の発生は、静電潜像担持体と中間転写媒体との空隙が「数百μｍ以下の領域」であると考えられ、転写電圧とカウンタバイアスとのバランスを考えると、カウンタバイアス：Ｖｔを印加する位置は、転写部の上流側で転写部に「きるだけ近い部分」であることが好ましい。
【００８２】
例えば、図１に示した場合において、感光体ＰＣの直径を４０ｍｍ、感光体ＰＣと中間転写ベルトＢＬとの接触幅（ニップ幅）を約１０ｍｍとした場合、カウンタバイアスローラＲ２によりカウンタバイアス：Ｖｔを印加する位置は、感光体ＰＣと中間転写媒体ＢＬとが接触するニップ部分の上流側に５ｍｍ程度離れた位置が好適である。
【００８３】
なお、転写電圧やカウンタバイアスを印加する手段は必ずしも「ローラ状」である必要は無く、中間転写媒体の裏面側に確実に接触して電圧印加が可能であれば良い。たとえば、転写ローラやカウンタバイアスローラに代えて、ブレード状やプレート状の印加部材を用い、これらを中間転写媒体の裏面側に接触させて転写電圧・カウンタバイアスの印加を行うようにすることができる。
【００８４】
【発明の実施の形態】
図４、図５を参照して、この発明を実施した画像形成装置の実施の１形態を説明する。図４は装置の全体図であり、図５は発明の特徴部分を説明するための部分図である。図４を参照して、画像形成プロセスのあらましを先ず説明する。
【００８５】
図４（ａ）に示す画像形成装置９００は「タンデム型のカラー画像形成装置」である。カラー原稿は読取部９０１で赤・緑・青に色分解して読取られ、これら読取情報に基づき黒（Ｂ）、イエロー（Ｙ）、マゼンタ（Ｍ）、シアン（Ｃ）の各色に対する画像データが生成される。かかる読取り部の構成は従来から広く知られている。
【００８６】
これら画像データは光書込装置９０２により作像ステーション９０３Ｂ、９０３Ｙ、９０３Ｍ、９０３Ｃで光書込みに供される。作像ステーション９０３Ｂ〜９０３Ｃは構造的には同じであるので、作像ステーション９０３Ｂを例にとって説明する。
【００８７】
図４（ｂ）に示すように、作像ステーション９０３Ｂは、反時計方向に回転駆動されるドラム状に形成された光導電性の感光体（静電潜像担持体）９１Ｂの回りに、帯電チャージャ９２、現像装置９３、転写手段９４、クリーニング装置９５が配設された構成となっている。
【００８８】
転写手段９４は、転写ローラ９４Ａ、カウンタバイアスローラ９４Ｂおよびこれらに所定の電圧を印加する手段（図示されず）により構成されている。
【００８９】
感光体９１Ｂと、転写ローラ９４Ａ・カウンタバイアスローラ９４Ｂとの間を、図４（ａ）に示すように、中間転写媒体としての中間転写ベルト９０４１が矢印方向へ走行するようになっている。感光体９１Ｂは、反時計回りに回転しつつ帯電チャージャ９２により均一帯電され、黒色画像に対応するＢ画像データをレーザ光束ＬＢＢにより書込まれ、Ｂ潜像（ネガ潜像）を形成される。
【００９０】
Ｂ潜像は現像装置９３で反転現像され、黒色トナーによる「黒トナー画像」となり、黒トナー画像は転写ローラ９４Ａにより中間転写ベルト９０４１上に１次転写される。その際、カウンタバイアスローラ９４Ｂによりカウンタバイアス：Ｖｔが印加されてプレ転写が防止される。
【００９１】
トナー画像転写後の感光体９１Ｂはクリーニング装置９５によりクリーニングされる。
【００９２】
同様にして、図４（ａ）に示す作像ステーション９０３Ｙ、９０３Ｍ、９０３Ｃでは、イエロー、マゼンタ、シアンの各色トナー画像が形成され、これら各色トナー画像は中間転写ベルト９０４１上に「黒トナー画像と重なり合う」ように転写される。このようにして中間転写ベルト９０４１上に形成された黒・イエロー・マゼンタ・シアントナー画像によるカラー画像は「シート状記録媒体」としての転写紙Ｓ上に２次転写される。
【００９３】
転写紙Ｓは、画像形成装置本体下部のカセット９０６から給紙され、あるいは手差し部９０７から手差しで配紙され、レジストローラ９０９により「２次転写部」即ち、中間転写ベルト９０４１と２次転写ベルト９０５との接触部へ、カラー画像の移動にタイミングを取って送り込まれ、図示されないバイアス印加手段から２次転写ベルト９０５に印加される２次転写バイアスの作用により、カラー画像を転写される。２次転写ベルト９０５と図示されないバイアス印加手段とは「２次転写手段」を構成する。
【００９４】
カラー画像を転写された転写紙Ｓは２次転写ベルト９０５により搬送され、図示されない除電チャージャで除電されて２次転写ベルト９０５から分離し、定着装置９１０でカラー画像を定着され、搬送ローラ９１１で搬送され排出ローラ９１２により装置外へ排出される。
【００９５】
２次転写後における中間転写ベルト９０４１、２次転写ベルト９０５はそれぞれ、図示されないベルトクリーニング装置により外周面をクリーニングされる。
【００９６】
転写紙Ｓの両面に画像形成を行う「両面画像形成モード」の場合は、片面にカラー画像を定着された転写紙Ｓの搬送路を切り換え爪９１５で切り換えて、搬送ローラ９１１と図示されないガイドとにより反転部９１３へ搬送し、反転部９１３において表裏を反転し「カラー画像が形成された面を上向き」にしてスタッカ９１４にスタックし、再度、レジストローラ９０９の位置へ搬送し、上記と同様にしてカラー画像を裏面に転写する。その後、裏面のカラー画像を定着装置９１０で定着し、搬送ローラ９１１で搬送し、排出ローラ９１２により装置外へ排出する。
【００９７】
図５は図４に示した画像形成装置における転写部を説明するための図である。図５（ａ）において、符号９１Ｂ〜９１Ｃはそれぞれ、光導電性の感光体を示し、黒トナー画像は感光体９１Ｂに、イエロートナー画像は感光体９１Ｙに、マゼンタトナー画像は感光体９１Ｍに、シアントナー画像は感光体９１Ｃにそれぞれ形成される。符号９４ＢＫ〜９４Ｃは各感光体に対して１次転写を行う「１次転写手段」を示し、図には転写ローラとその上流側近傍に設けられるカウンタバイアスローラを示している。
【００９８】
各１次転写部で行われる１次転写については先に図１〜図３に即して説明した通りであり、各１次転写部におけるカウンタバイアスローラにカウンタバイアス：Ｖｔが印加されることにより、プレ転写・逆転写を有効に防止もしくは軽減して１次転写が行われる。
【００９９】
なお、中間転写ベルトの電気抵抗が低いと、各転写部でカウンターバイアスローラと転写ローラとの間に中間転写ベルトを介して大きな電流が流れるため、中間転写ベルトの体積抵抗値はある程度高いことが必要で、具体的には１０８〜１０１０Ωｍ程度が使用可能であるが好ましくは１×１０９Ωｍが良い。
【０１００】
中間転写ベルトの体積抵抗値が高過ぎると、中間転写ベルトの自己除電性が低下するため専用の除電装置により除電する必要が生じる。自己除電は、中間転写ベルトのバルクを電荷が流れることにより行われるので、カウンターバイアスローラと中間転写ローラの間には電流を流さず、中間転写ベルトのバルクは電流を流しやすい構造とすることが好ましい。
【０１０１】
例えば、中間転写ベルトを３層構造として、カウンタバイアスローラが接触する側（裏面側）から第１、第２、第３層の体積抵抗率：ρ１、ρ２、ρ３を、ρ１＞ρ２＞ρ３もしくはρ１＞ρ２＜ρ３とし、全体の抵抗値を前記１０８〜１０１０Ωｍとなるように構成すれば良い。
【０１０２】
図５（ｂ）を参照すると、符号１９４Ｂ、１９４Ｙ、１９４Ｍ、１９４Ｃはそれぞれ、転写部９４ＢＫ〜９４Ｃにおけるカウンタバイアスローラを示しており、これらはカウンタバイアス設定部ＣＢＳ（マイクロコンピュータ等により構成される）により「各カウンタバイアスローラごとに設定されるカウンタバイアス：Ｖｔ」を、電源ＢＤＢ、ＢＤＹ、ＢＤＭ、ＢＤＣから印加される。
【０１０３】
図５（ａ）において、符号９０４２は中間転写ベルト９０４１の表面電位を検出する電位検出手段を示している。
【０１０４】
図４、図５の画像形成装置において、請求項２記載の方法を実現する場合であれば、転写部における最下流側の感光体９１Ｃに、基準パターンのネガ潜像を作成し、これを反転現像して得られるシアントナー画像を中間転写ベルト９０４１上へ転写する。このとき、カウンタバイアスは印加しないで良い。
【０１０５】
中間転写ベルト９０４１上に転写されたシアントナー画像の画像部電位を電位検出手段９０４２により検出し、前述の如くして２色目以降の１次転写のカウンタバイアス値を推定して設定する。図５（ｂ）のカウンタバイアス設定部ＣＢＳは上記電位検出手段９０４２の検出電位に従い、上記推定と設定を行う。
【０１０６】
請求項３記載の方法を実現する場合であれば、転写部における各感光体９１ＢＫ〜９１Ｃに基準パターンのネガ潜像を作成し、これらを反転現像して得られる各色トナー画像を中間転写ベルト９０４１上へ逐次転写する。このときも、カウンタバイアスは印加しない。
【０１０７】
このようにして中間転写ベルト上に得られたカラー画像の画像部電位を電位検出手段９０４２により検出し、前述の如くして各色トナー画像の１次転写に対するカウンタバイアス値を、カウンタバイアス設定部ＣＢＳにおいて推定して設定する。上記何れの場合も、第１番目のトナー画像の１次転写に先立ち、中間転写ベルトの表面電位：Ｖｂを検出しておく。
【０１０８】
【実施例】
図３〜図５に即して説明した画像形成装置を用いて画像形成を行った。中間転写媒体への１次転写の順位は、カラー画像形成の場合であれば黒・イエロー・マゼンタ・シアントナー画像の順であるが、評価の容易性に鑑みイエロートナー画像とマゼンタトナー画像の２色の画像で画像形成して評価を行った。
【０１０９】
先ず、感光体９１Ｙ上にイエロートナー画像を形成した。イエロートナー画像の画像部は、静電潜像の画像部電位が略−１００Ｖで、イエロートナーが付着した状態で−２００Ｖ程度である。
【０１１０】
このイエロートナー画像を「カウンタバイアスを印加せず」に転写された中間転写ベルト９０４１上の表面電位を電位検出手段９０４２により測定した。このときの画像部電位は＋５００Ｖであった。この電位は２次転写の際のバイアス条件により変化する。２次転写のバイアス条件は環境変化等に応じて変化させる制御を行っている。この制御は、環境による「転写紙の抵抗値変動」に起因する２次転写の効率変化を補正するのが主たる目的である。
【０１１１】
１色目のイエロートナー画像を１次転写する際、中間転写ベルト上には先に転写されているトナー画像がないので、カウンタバイアス：Ｖｔとして充分に絶対値の大きいマイナス電位を印加する。
【０１１２】
実施例ではｖｔ＝−７００Ｖとした。イエロートナー画像の転写後、２色目のマゼンタトナー画像の転写を行った。感光体９１Ｍ上におけるマゼンタトナー画像の画像部の潜像電位は−１００Ｖ、トナーが付着した状態で−２００Ｖ程度である。マゼンタトナー画像を転写する前の中間転写ベルト上におけるイエロートナー画像の画像部電位を測定したところ＋４３０Ｖであった。
【０１１３】
この状態でカウンタバイアスの値を種々に変化させ、マゼンタトナー画像の１次転写を行った後に装置を停止し、感光体９１Ｍ上における逆転写によるイエロートナーの付着の有無と、中間転写ベルト上におけるプレ転写によるマゼンタトナーの散り状況を観察したところ以下の如き結果が得られた。
【０１１４】
カウンタバイアス（Ｖ）    イエロートナーの付着    マゼンタトナーの散り
−２００                    ○                      ×
−３００                    ○                      ×
−４００                    ○                      △
−５００                    ○                      ○
−６００                    ○                      ○
−７００                    ×                      ○
−８００                    ×                      ○
「○」印は付着もしくは散りが全く見られなかったもの、「×」印は付着もしくは散りが多く観察されたもの、「△」印はごく少量の散りが見られたものである。
【０１１５】
図５に示す電位検出手段９０４２を用い、前述のようにして請求項２記載の方法により「カウンタバイアス：Ｖｔの決定」を行った。図６にフロー図を示す。このフロー図における「Ｔｈｒ」は、１色転写による電位変化量の上限であり、１色の電位変化量がこの値以上である場合、３色目以降における１次転写前の中間転写ベルト上の画像部電位をＶ１とすると、４色目を１次転写する際の転写部上流側での電位差が大きくなり、トナーの飛翔が生じた。Ｔｈｒ以下であれば画像部電位をＶ１として問題は生じなかった。
【０１１６】
「Ｔｈｒ」は５０〜７０Ｖ程度であるが実施例では７０Ｖとした。おおよそ決定した中間転写ベルト上の画像部電位に基づき以下のテーブルを参照して、カウンタバイアス値を決める。このテーブルはシステムで固定したものを予め記憶させたものである。画像形成はフルカラーの画像形成を行い、１色転写後、２色転写後、３色転写後、４色転写後のそれぞれのタイミングで装置を停止し、感光体上と中間転写ベルト上のトナーの散り（プレ転写）とトナー付着（逆転写）を観察した。
【０１１７】
2004286851.tif 000003
【０１１８】
カウンタバイアスを印加しない場合と比較し、転写チリの少ない良好な画像が得られた。画像部電位の検出に際しては、前述の如く「専用のパターン」による作像を行った。
【０１１９】
図５に示す電位検出手段９０４２を用い、前述のようにして請求項３記載の方法により「カウンタバイアス：Ｖｔの決定」を行った。
図７に示すフロー図に従い、中間転写体ベルト上の画像部の電位を推定し、上記テーブルを参照してカウンタバイアスを決定した。
【０１２０】
感光体上画像部への逆転写による他色の混入、プレ転写による中間転写体ベルト上のトナー散りもなく、良好な画像が得られた。
【０１２１】
なお、各静電潜像担持体上のトナー画像の画像部電位と、中間転写媒体の各転写部の上流側での画像部電位とを各々電位検出して、これら電位を合致させるように各転写部におけるカウンタバイアスを定め得ることは勿論である。
【０１２２】
【発明の効果】
以上に説明したように、この発明によれば新規な画像形成方法および装置を実現できる。この発明の画像形成方法によれば上記の如く、複数のトナー画像を中間転写媒体上に１次転写する際のプレ転写・逆転写を有効に防止もしくは低減できる。従って、この発明の画像形成方法を実施する画像形成装置は、プレ転写や逆転写に起因する像質劣化を良好に防止もしくは低減して高品質の画像形成を行うことができる。
【図面の簡単な説明】
【図１】カウンタバイアスを説明するための図である。
【図２】カウンタバイアスを説明するための図である。
【図３】１次転写後の中間転写媒体上の画像部電位を説明するための図である。
【図４】画像形成装置の実施の１形態を説明するための図である。
【図５】図５の画像形成装置における転写部を説明するための図である。
【図６】実施例の画像部電位推定のフロー図である。
【図７】実施例の画像部電位推定の別のフロー図である。
【符号の説明】
ＰＣ      静電潜像担持体（光導電性の感光体）
ＢＬ      中間転写ベルト
Ｒ１      転写ローラ
Ｒ２      カウンタバイアスローラ
ＴＹ      イエロートナー
【図１】
2004286851.tif 000004
【図２】
2004286851.tif 000005
【図３】
2004286851.tif 000006
【図４】
2004286851.tif 000007
【図５】
2004286851.tif 000008
【図６】
2004286851.tif 000009
【図７】
2004286851.tif 000010